(57)【特許請求の範囲】
【請求項１】
表示パネルと、前記表示パネルよりも視認者側に配置される液晶バリアパネルとを有する画像表示装置であって、
前記液晶バリアパネルは、第１の基板と、第２の基板と、前記第１の基板と前記第２の基板との間に挟持された液晶とを有しており、
前記第２の基板には、第１の方向に延在し、第２の方向に第１のピッチで配列する第１の透明電極と、前記第１の方向に延在し、前記第２の方向に配列する第２の透明電極とが層間絶縁膜を挟んで形成され、
前記視認者側から視て、前記第１の透明電極の間には、前記第２の透明電極が形成されており、
前記第２の基板と前記層間絶縁膜との間には金属電極が形成されており、
前記第１の透明電極は、前記金属電極と、前記層間絶縁膜に形成された第１のスルーホールを介して接続し、
前記第２の透明電極は、前記第１の透明電極と、前記層間絶縁膜に形成された第２のスルーホールを介して接続し、
前記金属電極と前記第２の透明電極は、同層に形成されており、前記第１の透明電極を介して互いに接続していることを特徴とする画像表示装置。
【請求項２】
前記液晶バリアパネルは、前記第１の透明電極と前記第２の透明電極とからなる、複数の透明電極対によって形成されていることを特徴とする請求項１に記載の画像表示装置。
【請求項３】
前記画像表示装置は、アイトラッキング方式によって駆動される3次元画像表示装置であることを特徴とする請求項１に記載の画像表示装置。
【請求項４】
前記第２のスルーホールは、前記第２の方向に整列して形成されていることを特徴とする請求項１乃至３のいずれか１項に記載の画像表示装置。
【請求項５】
前記第１の透明電極は、それぞれ異なる前記金属電極と接続することを特徴とする請求項１乃至４のいずれか１項に記載の画像表示装置。
【請求項６】
前記第２の透明電極は、前記第２のスルーホールを介して、前記第１の透明電極と接触していることを特徴とする請求項１乃至４のいずれか１項に記載の画像表示装置。
【請求項７】
前記表示パネルは、表示領域と、前記表示領域の周辺の非表示領域とを有しており、
前記第１の透明電極と前記第２の透明電極とは、前記表示領域に対応する部分に設けられており、 前記金属電極は、前記非表示領域に設けられていることを特徴とする請求項１乃至５のいずれか１項に記載の画像表示装置。
【請求項８】
透明電極が形成された第１基板と、
前記第１基板と対向する第２基板と、
前記第１基板と前記第２基板との間に挟持された液晶とを有する液晶パネルであって、
前記第１基板には、視認者側から視て、交互に配置された第１の透明電極と、第２の透明電極とが形成され、
前記第１の透明電極と前記第２の透明電極との間には層間絶縁膜が形成されており、
前記第１基板と前記層間絶縁膜との間には、前記第１の透明電極と前記第２の透明電極の少なくとも一方と重畳する金属電極が形成され、
前記第１の透明電極と前記第２の透明電極のうち前記金属電極と重畳している方は、前記金属電極と直接接続し、
前記第１の透明電極と前記第２の透明電極のうち前記金属電極と重畳していない方は、
前記金属電極と重畳している方を介して、前記金属電極と接続し、
前期第１の透明電極と前記第２の透明電極は、スルーホールを介して接続されており、同電位であることを特徴とする液晶パネル。
【請求項９】
前記第１基板に形成された前記透明電極は、前記第１基板の前記第２基板と対向する側に形成されていることを特徴とする請求項８に記載の液晶パネル。
【請求項１０】
前記第１の透明電極と前記第２の透明電極は、第２のスルーホールを介して接続されており、同電位であることを特徴とする請求項１乃至７のいずれか１項に記載の画像表示装置。
【発明の詳細な説明】
【技術分野】
【０００１】
本発明は表示装置に係り、特に液晶によるパララックスバリアパネルを用いた３次元画像表示装置に関する。
【背景技術】
【０００２】
３次元画像の表示方法として、パララックスバリア方式が知られている。パララックスバリア方式とは、パララックスバリアパネル呼ばれる複数の縦方向の細かいスリットが入ったパネルの後方に、右眼からの視野の画像と、左眼からの視野の画像とを交互に並べた画像を表示し、その画像によって、パララックスバリアを介して３次元の画像を表示する方法である。
【０００３】
バリア電極を形成したバリア基板と、共通電極を形成した共通基板の間に液晶を挟持することによってパララックスバリアパネルを形成することが出来る。液晶を用いたパララックスバリアパネルは、液晶を駆動するためのバリア信号を印加したときは３次元画像表示をすることが出来、バリア信号を印加しないときは、２次元画像表示をすることが出来るという利点を有している。
【０００４】
特許文献１には、バリア電極を２層構造とし、バリア側と透過側とを短時間に相互に入れ替えることによって、パララックスバリアパネルによる透過率の低下を抑えたパララックスバリア方式が記載されている。
【０００５】
特許文献２には、バリア電極の両側に第１透過電極と第２透過電極を配置し、１フレーム内で、第１透過電極と第２透過電極に交互に透過信号とバリア信号を印加することによって、透過率の低下をおさえつつ、深みのある３次元表示を可能にする構成が記載されている。
【先行技術文献】
【特許文献】
【０００６】
【特許文献１】特開２００９−９０８１号公報
【特許文献２】特開２００６−１８９７６６号公報
【発明の概要】
【発明が解決しようとする課題】
【０００７】
バリア形成のためにバリア電極はＩＴＯ（Ｉｎｄｉｕｍｕ  Ｔｉｎ  Ｏｘｉｄｅ）等の透明電極によって形成される。ＩＴＯは透明電極ではあるが、完全な透明ではなく、所定の透過率を持っており、ＩＴＯがある部分は他の部分に比較して暗くなる。バリア電極は周期性を持って形成されるので、例えば、液晶表示パネルに形成されたブラックマトリクスあるいは映像信号線等と干渉を生じ、これがモアレの原因となる。これは２次元画像表示時のモアレとなる。
【０００８】
一方、パララックスバリア方式は、視点を移動した場合にクロストークを生ずる。これを防止するために、例えば、バリア領域を複数に分け、視点の移動に合わせてバリア領域を移動させる方法がある。これはアイトラッキング方式と呼ばれる。この方法は、一つのバリア領域を複数のバリア電極で形成するが、複数のバリア電極の間に透過領域が生ずるためにモアレが発生する。これは、３次元表示におけるモアレとなる。
【０００９】
このようなモアレを抑制するために、バリア電極を２層配線にすることによって、分割されたバリア電極の間をなくす方法がある。しかし、バリア電極を２層配線とすると、配線構成およびプロセスが複雑になる。
【００１０】
本発明の課題は、パララックスバリア方式において、以上のようなモアレを対策するために、２層配線とした場合における、配線構成を簡単にし、製造コストの低い、かつ、信頼性の高い３次元画像表示装置を実現することである。
【課題を解決するための手段】
【００１１】
本発明は以上のような課題を解決するものであり、主な具体的な手段は次のとおりである。
【００１２】
（１）表示パネルの上に液晶パララックスバリアパネルを配置した３次元画像表示装置であって、前記パララックスバリアは電極が平面状に形成された第１の基板と、表示領域を有する第２の基板の間に液晶が挟持された構成であり、
前記第２の基板には、第１の方向に延在し、第２の方向に第１のピッチで配列する第１のバリア電極と、前記第１の方向に延在し、前記第２の方向に第１のピッチで配列する第２のバリア電極とが層間絶縁膜を挟んで形成され、平面で視て、前記第１のバリア電極と前記第１のバリア電極の間は、前記第２のバリア電極によって塞がれており、バリア電極対は、平面で視て、隣接し、かつ、同電位が印加される一対の前記第１のバリア電極と前記第２のバリア電極から形成され、前記バリア電極対は前記第２の方向に第１のピッチで配列し、バス電極が表示領域の外側で、前記表示領域の辺に沿って延在し、前記バリア電極対の前記第１のバリア電極は、前記バス電極と、前記層間絶縁膜に形成された第１のスルーホールを介して接続し、前記バリア電極対の前記第２のバリア電極は、前記バリア電極対の前記第１のバリア電極と、前記層間絶縁膜に形成された第２のスルーホールを介し、前記バリア電極対の前記第１のバリア電極自体によって接続していることを特徴とする３次元画像表示装置。
【００１３】
（２）前記パララックスバリアパネルのバリア領域は、複数の前記バリア電極対によって形成されていることを特徴とする（１）に記載の３次元画像表示装置。
【００１４】
（３）前記３次元画像表示装置は、アイトラッキング方式によって駆動されることを特徴とする（１）に記載の３次元画像表示装置。
【００１５】
（４）前記第２のスルーホールは、前記バス電極と前記表示領域の間に、前記第２の方向に整列して形成されていることを特徴とする（１）乃至（３）のいずれかに記載の液晶表示装置。
【００１６】
（５）第１の前記バリア電極対における前記第１のスルーホールと前記第２のスルーホールは、平面で視て同一のバス電極の上に形成されており、第２の前記バリア電極対における前記第１のスルーホールと前記第２のスルーホールは、平面で視て他の同一のバス電極の上に形成されていることを特徴とする（１）乃至（３）のいずれかに記載の液晶表示装置。
【図面の簡単な説明】
【００１７】
【図１】本発明におけるパララックスバリア方式の３次元画像表示装置の断面模式図である。
【図２】パララックスバリア方式の原理を示す断面模式図である。
【図３】バリアパネルの動作を示す断面図である。
【図４】アイトラッキングのシステムを示す模式図である。
【図５】複数のバリア電極によってバリア領域を形成し、視差特性を改善する動作を示す断面図である。
【図６】複数のバリア電極によってバリア領域を形成する例である。
【図７】単層配線によって視差特性を改善するバリア電極を有するパララックスバリアパネルの平面図の例である。
【図８】図８のＡ部詳細図である。
【図９】図８のＡ−Ａ断面図である。
【図１０】図７のＢ−Ｂ断面図である。
【図１１】本発明が適用される２層方式のバリア電極を有するパララックスバリアパネルの断面図である。
【図１２】実施例１のパララックスバリアパネルの平面図である。
【図１３】図１２のＢ部詳細図である。
【図１４】図１３のＣ−Ｃ断面図である。
【図１５】図１３のＤ−Ｄ断面図である。
【図１６】実施例２のパララックスバリアパネルの平面図である。
【図１７】図１６のＣ部詳細図である。
【図１８】図１７のＦ−Ｆ断面図である。
【発明を実施するための形態】
【００１８】
以下に実施例を用いて本発明の内容を詳細に説明する。
【実施例１】
【００１９】
図１は、本発明による３次元画像表示装置の断面図模式図である。図１に示す装置は、液晶表示パネル３０００によって形成された画像を液晶パララックスバリアパネル１０００を用いて３次元画像を視認できる構成となっている。液晶パララックスバリアパネル（以後液晶パネル又はパララックスバリアパネルという）１０００と液晶表示パネル３０００とは透明接着材２０００によって接着している。
【００２０】
液晶表示パネル３０００は、ＴＦＴと画素電極を有する画素がマトリクス状に形成されたＴＦＴ基板３５０と対向基板４００とがシール材によって貼りあわされ、内部に液晶が封止された構成である。ＴＦＴ基板３５０には走査線が第１の方向に延在して、第２の方向に配列し、映像信号線が第２の方向に延在し、第１の方向に配列している。走査線と映像信号線に囲まれた部分が画素となっている。対向基板４００には、一般には、ＴＦＴ基板３５０の走査線あるいは映像信号線に対応した部分にブラックマトリクスが形成され、画面のコントラストの向上を図っている。
【００２１】
液晶表示装置は、自分では発光しないので、液晶表示パネル３０００の背面にバックライト４０００が配置されている。バックライト４０００は光源の他、導光板、拡散板、場合によっては、光の利用効率を向上させるためのプリズムシート等の光学部品を含んでいる。
【００２２】
図２はパララックスバリア方式の３次元画像表示の原理を示す断面図である。バリアパターン６００に形成されたバリア領域６１０と開口領域６２０によって、右眼は表示装置８００に形成された右眼用の画像Ｒのみを認識し、左眼は左眼用の画像Ｌのみを認識することによって、人間は、３次元画像を認識することが出来る。
【００２３】
図３は液晶パララックスバリアパネルの動作原理を示す断面図である。図３（ａ）も図３（ｂ）もＴＮ（Ｔｗｉｓｔｅｄ  Ｎｅｍａｔｉｃ）方式の液晶パネルである。共通基板２００の外側には上偏光板２１００が貼り付けられ、バリア基板１００の外側には下偏光板１１００が貼り付けられている。図３（ａ）において、共通基板２００には共通電極２１０が平面状に全面に形成され、バリア基板１００には、所定のピッチでストライプ状のバリア電極１１０が座標ｙ方向に延在している。液晶分子３００はバリア基板１００から共通基板２００にかけ、９０度ツイストしている。図３（ａ）は、共通電極２１０とバリア電極１１０との間に電圧が印加されていない状態であり、液晶表示パネルからの光は変調を受けない。したがって、この場合は、２次元画素が表示される。
【００２４】
図３（ｂ）は同じパララックスバリアパネルのバリア電極１１０に対して１つおきに電圧を印加した場合である。バリア電極１１０に電圧が印加された領域は光が遮光され、バリア電極１１０に電圧が印加されない領域は光が透過する。これによって、パララックスバリアパネル主面から見ると、ストライプ状の遮光領域とストライプ状の開口領域が交互に形成されて見える。なお、図３（ｂ）において、矢印Ｆは電界を示している。
【００２５】
パララックスバリア方式は、図２に示すように、完全な３次元画像を表現するには、人間の眼とパララックスバリアパネルとを所定の位置に固定する必要がある。人間の眼が横方向に移動すると、本来は、左眼だけに認識されるべき画素が右眼にも認識され、あるいは、本来は、右眼だけに認識されるべき画素が左眼にも認識されるようになる。これをクロストークと呼んでおり、３次元画像の品位が低下する。
【００２６】
これを防止するために、バリアの位置を人間の眼の位置に合わせて移動させる方式がある。図４は、人間の眼の移動をカメラによって追跡し、このデータを表示装置にフィードバックするシステムを示すブロック図である。以後このシステムをアイトラッキング方式と呼ぶ。図４において、人間の眼１２０の位置をカメラで測定する。このカメラは、携帯端末等における写真用カメラを使用すれば、特別に専用カメラを用いなくとも、このシステムを適用することが出来る。
【００２７】
図４において、カメラで検出した人間の眼１２０の位置を位置検出器に入力し、位置検出器からバリア制御器にこの信号を入力する。バリア制御器は、バリア基板におけるバリアパターンの位置を制御するための信号を作り、この信号をパララックスバリアパネルを有する立体表示装置（３次元表示装置）に入力する。
【００２８】
図５は、人間の眼１１０が移動した場合にも、右眼用の画素と左眼用の画素がクロストークしないように、人間の眼１２０の移動に合わせてバリアパターン６００を移動することを示す模式図である。図５において、人間の眼１２０はバリアパターン６００を介して画素パターン８００を視認するので、人間は３次元画像を認識することが出来る。図５は、図５（ａ）から（ｃ）にかけて人間の眼が紙面に向かって左から右方向に移動していることを示している。図５（ａ）から（ｃ）の一番下の短冊パターンは、人間の眼の動きに合わせてバリアパターン６００のうちの１つのバリア移動域の中で、バリア領域６１０が左から右方向に移動していることを示している。これによって、右眼用の画素と左眼用の画素のクロストークを防止することができる。
【００２９】
図６は、パララックスバリアパネルにおいてバリアパターン６００を移動させるための電極構造を示すものである。図６において、共通基板２００には共通電極２１０が平面状に形成されていることは従来と同じである。一方、バリア基板１００におけるバリア電極１１０は紙面垂直方向に延在するストライプ状であるが、バリア電極のピッチｐｂはバリアパターンのうちの１つのバリア移動域のピッチｐｐの１/１０である。図６の構成は１０段階の視差に対応することが出来るが、もっと細かい段階に分割することも可能である。図６においては、５本のバリア電極１１０をｏｎすることによってバリア領域を形成し、ｏｆｆ状態の５本のバリア電極１１０に対応して開口領域６２０が形成されている。ｏｎにするバリア電極の数は５本に限定されるものではない。バリア領域６１０の位置を移動させるには、バリア領域６１０における片側のバリア電極１１０をｏｆｆし、バリア領域６１０の他の側のバリア電極１１０をｏｎさせればよい。
【００３０】
このように、複数のバリア電極１１０によってバリア領域６１０を形成することで、バリア領域６１０の位置を移動させることが出来、アイトラッキングによるフィードバックを正確に行うことが出来る。なお、図６において、バリア電極１１０がｏｎになっている領域にバリア領域６１０が形成され、バリア電極１１０がｏｆｆになっている領域に透過領域６２０が形成されている。また、バリア電極１１０がｏｎになっている状態は、バリア電極１１０に電圧が印加されている状態のことである。
【００３１】
図７は、図６に示すパララックスバリアパネルにおいて、バリア電極１１０のピッチｐｂがバリアパターンのピッチｐｐの１/２の場合の平面図である。つまり、図７のパララックスバリアパネルは、２段階の視差のアイトラッキング方式に対応することが出来る。図７において、バリア基板１００の上に共通基板２００が配置し、バリア基板１００と共通基板２００の間に液晶が挟持されている。バリア基板１００は、共通基板２００よりも大きく形成されており、バリア基板１００が１枚になっている部分は端子領域１６０になっている。端子領域１６０には２個のバリア電極用端子１５と１個の共通電極用端子２５が配置している。共通端子２５は、共通配線２０、共通配線接続部２２を介して共通基板２００に形成された共通電極２１０と接続する。
【００３２】
２個のバリア電極端子１５の一方は、表示領域１５０の左方において縦方向に延在するバス電極３０と接続し、他方は、表示領域１５０の右方において縦方向に延在するバス電極３０と接続する。図７において、バリア電極１１０は、左側のバス電極３０および右側のバス電極３０から交互に表示領域の横方向に延在している。表示領域１５０において、バリア電極１１０は縦方向にピッチｐｂで配列している。
【００３３】
図８は図７のＡ部詳細図である。図８において、バス電極３０が縦方向に延在し、バス電極３０からバリア電極１１０が横方向に延在している。表示領域１５０の外側においては、バリア電極１１０は縦方向に２ｐｂのピッチで配列している。図９は図８のＡ−Ａ断面図である。図９におけるバリア電極１１０は透明導電膜であるＩＴＯ（Ｉｎｄｉｕｍ  Ｔｉｎ  Ｏｘｉｄｅ）によって形成され、厚さは例えば７７μｍである。図１０は図８のＢ−Ｂ断面図である。図１０において、バリア電極１１０の端部にバス電極３０が形成されている。バス電極３０は金属あるいは合金、例えばＭｏＣｒ等で形成され、厚さは例えば１５０ｎｍである。膜厚の大きいバス電極３０が上にあることによってＩＴＯで形成されたバリア電極１１０が低抵抗でバリア電極用端子１５に接続される。  しかし、図７に示すパララックスバリアパネルは、２段階の視差にしか対応することが出来ない。３段階以上の視差に対応しようとすると、図７のような配線構造では対応できず、多層配線にする必要がある。また、バリア電極１１０を構成するＩＴＯは完全な透明ではなく、所定の透過率を有しているので、ＩＴＯパターンによる明パターンと暗パターンが繰り返されるために、２次元画像表示においてもモアレが発生する。
【００３４】
図６のように、バリア領域をより多数のバリア電極１１０で構成すれば、アイトラッキングにおける、より細かい視差に対応することが出来る。しかし、図６のような構成とするには、多層配線とする必要がある。また、図６の構成は、バリア電極１１０の間に光を透過するスリット１１５が存在するので、バリア領域であっても、明パターンと暗パターンが繰り返されるために、３次元画像表示において、モアレを発生する。また、バリア電極１１０を構成するＩＴＯは完全な透明ではなく、所定の透過率を有しているので、ＩＴＯパターンによる明パターンと暗パターンが繰り返されるために、２次元画像表示においてもモアレが発生する。
【００３５】
図１１はこの問題を解決するパララックスバリアパネルの断面図である。図１１が図６と異なる点は、バリア基板１００側において、バリア電極１１０を上層バリア電極１１と下層バリア電極１２とで構成している点である。上層バリア電極１１と下層バリア電極１２の間には第１層間絶縁膜６１が存在している。図１１において、１個の上層バリア電極１１と平面で視て隣接する１個の下層バリア電極１２とには同じ電圧が印加され、この電極対で、バリア電極対を形成している。上層バリア電極１１と上層バリア電極１１との間には、平面で視て、下層バリア電極１２が存在しているので、上層バリア電極１１と上層バリア電極１１の間には、スリット状の透過領域は存在しない。したがって、モアレの発生を防止することが出来る。
【００３６】
図１１において、下層バリア電極１２の幅は、上層バリア電極１１と上層バリア電極１１の間隔と同一でもよいが、バリア基板１００と共通基板２００の合わせ精度を考慮すると、下層バリア電極１２の幅は、上層バリア電極１１と上層バリア電極１１の間隔よりもやや大きいほうが好ましい。図１１では、上層バリア電極１１と下層バリア電極１２の幅は同一となっているが、異なるように形成してもよい。すなわち、上層バリア電極１１のほうか下層バリア電極１２よりも幅広になるように形成してもよいし、その逆でもよい。図１１は、上層バリア電極１１のピッチｐｂがバリアパターンのピッチｐｐの１/６の場合である。すなわち、図１１は６段階の視差に対応することが出来る。
【００３７】
図１２は、図１１に示す方式において、上層バリア電極１１のピッチｐｂがバリアパターンのピッチｐｐの１/４の場合のパララックスバリアパネルの平面図である。すなわち、図１２は、４段階の視差に対応することが出来る。図１２において、４視差に対応するために、バリア電極端子１５は４個配置されている。４個のバリア電極端子１５の各々に接続するバス電極３０は、表示領域１５０の左側を縦方向に延在している。
【００３８】
バス電極３０からは、上側バリア電極１１が表示領域１５０を横方向に延在している。また、上層バリア電極１１は表示領域１５０の縦方向にピッチｐｂで配列している。図１２において、下層バリア電極１２が上層バリア電極１１とペアで横方向に延在している。１ペアにおける上層バリア電極１１と下層バリア電極１２の電位は同一である。その他の構成は図７で説明したのと同様である。
【００３９】
図１２に例示するように、２視差を超える視差に対応しようとすると、配線が交差することとなり、多層配線にならざるを得ない。また、図１１、図１２に示す構成では、バリア電極対において、電位が同一である上層バリア電極１１と下層バリア電極１２を形成する必要がある。この場合、配線構造が複雑になると、製造歩留まりの低下や信頼性の低下をきたす。本発明は、多層配線を用いるパララックスバリアパネルにおいて、配線構成を単純にし、かつ、高い信頼性を維持できる構成を与えるものである。
【００４０】
図１３は、図１２のＢ部の詳細平面図である。図１３において、４本のバス電極３０が縦方向に延在している。上層バリア電極１１がバス電極３０の各々と第１スルーホール４１を介して接続している。上層バリア電極１１は途中で分岐して、第２スルーホール４２を介してペアとなる下層バリア電極１２と電気的に接続する。下層バリア電極１２の幅は、上層バリア電極１１と上層バリア電極１１の間隔よりも若干大きく形成されており、したがって、平面で視た場合、上層バリア電極１１間あるいは下層バリア電極１２間には隙間は存在しない。したがって、モアレの発生は防止することが出来る。
【００４１】
図１４は図１３のＣ−Ｃ断面図である。図１４において、上層バリア電極１１と下層バリア電極１２の間には第１層間絶縁膜６１が存在している。図１１において、上層バリア電極１１、下層バリア電極１２ともＩＴＯで形成されており、厚さは例えば７７ｎｍである。
【００４２】
図１５は図１３のＤ−Ｄ断面図である。図１５において、基板１００上にバス電極３０と下層バリア電極１２が形成され、これらの電極を覆って第１層間絶縁膜６１が形成されている。第１層間絶縁膜６１の上に上層バリア電極１１が形成されている。バス電極３０の厚さは、例えば１５０ｎｍである。バス電極３０と上層バリア電極１１が第１スルーホール４１を介して接続している。同じ上層バリア電極１１は第２スルーホール４２を介して下層バリア電極１２と接続している。
【００４３】
本発明においては、上層バリア電極１１を形成する際、上層バリア電極１１と下層バリア電極１２の接続を同時に行うことが出来るので、製造工程を単純化することが出来る。また、製造工程を単純化できる分、製造コストの低下と製品の信頼性の向上を図ることが出来る。
【実施例２】
【００４４】
図１６は、本発明の実施例２を示すパララックスバリアパネルの平面図である。図１６も実施例１と同様、アイトラッキング方式において、４視差に対応することが出来るパララックスバリアパネルである。したがって、図１６も、バリア電極端子１５は４個存在している。図１６が図１２と異なる点は、上層バリア電極１１と下層バリア電極１２の接続構成であるＣ部である。図１６のその他の構成は、図１２と同様である。
【００４５】
図１７は図１６のＣ部の詳細平面図である。図１７において、４本のバス電極３０が縦方向に延在している。上層バリア電極１１と下層バリア電極１２のペアがバス電極３０の上方まで延在している。この点が実施例１と異なる。上層バリア電極１１はバス電極３０上で屈曲し、下層バリア電極１２と第１スルーホール４２を介して導通する。すなわち、上層バリア電極１１によって、下層バリア電極１２およびバス電極３０との接続を同時に取っている。
【００４６】
図１８は図１７のＦ−Ｆ断面図である。図１８において、基板１００の上にバス電極３０が形成されている。バス電極３０を覆って第２層間絶縁膜６２が形成され、その上に下層バリア電極１２が形成されている。下層バリア電極１２を覆って第１層間絶縁膜６１が形成され、その上に上層バリア電極１１が形成されている。
【００４７】
上層バリア電極１１は第１スルーホール４１においてバス電極３０と接続している。第１スルーホール１１は第１層間絶縁膜６１と第２層間絶縁膜６２を貫通している。また、上層バリア電極１１は第２スルーホール４２において、下層バリア電極１２と接続している。すなわち、上層バリア電極１１の形成と同時に、バス電極３０と下層バリア電極１２との接続を同時にとることが出来る。
【００４８】
本実施例は、上層バリア電極１１と下層バリア電極１２との接続をバス電極３０の上方で取るので、図１３に比べてパララックスバリアパネルの横方向の寸法を小さくすることが出来る。また、スルーホールは一般には、配線幅よりも大きくなりやすい。上層バリア電極１１と下層バリア電極１２の接続スルーホール４１が、実施例１では、縦方向に整列して形成されているので、接続領域の縦方向の寸法が大きくなりやすい。これに対して本実施例では、図７に示すように、スルーホール４１がバス電極３０ごとに、水平方向にずれて形成されているので、接続領域の縦方向の寸法を小さくすることができる。
【００４９】
また、図１７では、上層バリア電極１１と下層バリア電極１２が同様にバス電極３０まで延在しているので、バス電極３０と上層バリア電極１１および下層バリア電極１２の間の容量を大きくできるので、バリア基板１００等に静電気が帯電した場合に、層間絶縁膜が絶縁破壊を生ずる確率を小さくすることができる。
【００５０】
以上の説明においては、アイトラッキング方式を用いたパララックスバリア方式の３次元画像表示装置について説明した。一方、液晶レンズを用いた３次元画像表示装置であっても、アイトラッキング方式によって視差特性の向上を図ることができる。液晶レンズの場合の視差特性の改善も、液晶レンズを形成する電極を複数に分割することによって行われる。したがって、実施例１および２で説明した本発明は、液晶レンズを用いた３次元画像表示装置についても適用することができる。
【００５１】
また、以上の説明では、表示パネルは液晶表示パネルであるとして説明したが、本発明は、液晶表示パネルに限らず、有機ＥＬ表示パネル等のであっても適用することができる。
【符号の説明】
【００５２】
１１…上層バリア電極、  １２…下層バリア電極、  １５…バリア電極端子、  ２０…共通配線、  ２２…共通配線接続部、  ２５…共通配線端子、  ３０…バス電極、  ４１…第１スルーホール、  ４２…第２スルーホール、  ６１…第１層間絶縁膜、  ６２…第２層間絶縁膜、  １００…バリア基板、  １１０…バリア電極、  １１５…スリット、  １２０…人間の眼、  １２０Ｒ…右眼、  １２０Ｌ…左眼、  １５０…表示領域、  １６０…端子領域、  ２００…共通基板、  ２１０…共通電極、  ３００…液晶分子、  ３５０…ＴＦＴ基板、  ４００…対向基板、  ６００…バリアパターン、  ６１０…バリア領域、  ６２０…開口領域、  ８００…画素パターン、  １０００…バリアパネル、  １１００…下偏光板、  ２０００…接着材、  ２１００…上偏光板、  ３０００…液晶表示パネル、  ４０００…バックライト、  Ｌ…左眼用画素、  Ｒ…右眼用画素
【図１】
0006573467.tif 000002
【図２】
0006573467.tif 000003
【図３】
0006573467.tif 000004
【図４】
0006573467.tif 000005
【図５】
0006573467.tif 000006
【図６】
0006573467.tif 000007
【図７】
0006573467.tif 000008
【図８】
0006573467.tif 000009
【図９】
0006573467.tif 000010
【図１０】
0006573467.tif 000011
【図１１】
0006573467.tif 000012
【図１２】
0006573467.tif 000013
【図１３】
0006573467.tif 000014
【図１４】
0006573467.tif 000015
【図１５】
0006573467.tif 000016
【図１６】
0006573467.tif 000017
【図１７】
0006573467.tif 000018
【図１８】
0006573467.tif 000019